(57)【特許請求の範囲】
【請求項１】
左右の両側枠の中間高さ位置にステージ板の両側縁がそれぞれ上下回動自在に枢着され、使用形態で垂直配置した両側枠と水平配置したステージ板とを連結固定するロック機構を備え、
前記ステージ板の踏み板部が、ステージ板本体に一体化した固定踏み板と、ステージ板本体から離脱可能な分離型踏み板とに分割構成され、
両側枠の頂部がそれぞれ、前記ステージ板本体から離脱した分離型踏み板の左右の側縁部を支承する水平受け部をなすと共に、該水平受け部上に載置された分離型踏み板を水平移動不能に保持する係止部を有し、且つ分離型踏み板をステージ板本体に繋ぎ止める繋ぎ止め具を備えてなる折畳み式作業台。
【請求項２】
前記係止部が、前記水平受け部と分離型踏み板の側縁部との一方に突設された係止ピンと、他方に穿設されて該係止ピンに係合する係止孔とで構成されてなる請求項１記載の折畳み式作業台。
【請求項３】
分離型踏み板をステージ板本体上で左右方向移動不能に保持する係合部を有してなる請求項１又は２に記載の折畳み式作業台。
【請求項４】
両側枠のそれぞれ前後両側に枢支部材が内向きに突設され、これら枢支部材を介して各側枠とステージ板の各側縁とが各側枠のフレームよりも内側で枢着されると共に、分離型踏み板の左右の側縁部がステージ板本体の左右側端よりも外側へ張出してなる請求項１〜３のいずれかに記載の折畳み式作業台。
【発明の詳細な説明】
【０００１】
【発明の属する技術分野】
本発明は、作業者の手が届きにくい比較的高所、例えば室内の壁上部や天井付近に対する軽作業を行う場合に、作業者の踏台として便利に使用できる折畳み式の作業台に関する。
【０００２】
【従来技術とその課題】
室内の壁上部や天井付近に、例えば水洗トイレ用の水タンクや配管、電気配線、照明器具、エアコン、メーター類等を取付けたり、壁塗りや塗装を行う場合等、人の手が届きにくい比較的高所の軽作業に用いる作業台として、従来より折畳み式の脚立が汎用されている。また、近年においては、折畳み及び伸縮可能な脚体に作業者の足場となるステージが設けられ、使用時には脚体を拡開して直立させると共に、不使用時には折畳み形態にできるようにした作業台も提案されている（特開平３−１３６６２号公報）。
【０００３】
しかしながら、脚立はステップが狭い上に立設安定性も悪いため、作業者がその上に載って作業する場合に体勢を変えにくく、作業できる範囲が限られると共に作業自体も行いにくいという問題があった。一方、前記提案の作業台では、ステージ部を広くとれるために脚立よりも作業範囲が広くなり、且つコンパクトな折畳み状態になることから、持ち運び便利で搬送や収納の際に嵩張らず場所をとらないという利点はあるが、作業部位の高さの違いや作業者の背丈の違い等に対応できないという難点があった。
【０００４】
【課題を解決するための手段】
本発明は、上述の状況に鑑み、不使用時にコンパクトな折畳み形態となし得る折畳み式作業台として、作業者が乗るステージ部を広くとれ、しかも必要に応じてステージ部を高低２段に設定でき、また構造的に簡素なものを提供することを目的としている。
【０００５】
本発明の請求項１に係る折畳み式作業台は、上記目的を達成するために、左右の両側枠１，１の中間高さ位置にステージ板２の両側縁２０，２０がそれぞれ上下回動自在に枢着され、使用形態で垂直配置した両側枠１，１と水平配置したステージ板２とを連結固定するロック機構３を備え、前記ステージ板２の踏み板部が、ステージ板本体２ａに一体化した固定踏み板２１，２２と、ステージ板本体２ａから離脱可能な分離型踏み板２３とに分割構成され、両側枠１，１の頂部がそれぞれ、前記ステージ板本体２ａから離脱した分離型踏み板２３の左右の側縁部２３ａ，２３ａを支承する水平受け部１０ａをなすと共に、該水平受け部１０ａ上に載置された分離型踏み板２３を水平移動不能に保持する係止部を有し、且つ分離型踏み板２３をステージ板本体２ａに繋ぎ止める繋ぎ止め具６を備える構成を採用したものである。
【０００６】
このような作業台によれば、通常の使用形態ではステージ板２の固定踏み板２１，２２と分離型踏み板２３とによって作業者が乗るステージ部を広くとれ、しかも作業部位がステージ板２上に乗った作業者の手に届きにくい高さ、あるいは作業し難い高さである場合でも、分離型踏み板２３をステージ板本体２ａから外して両側枠１，１の頂部間にわたすことにより、ステージ板本体２ａよりも高位のステージ部を設定して支承なく作業できる。しかして、この高位のステージ部は、作業者が固定踏み板２１，２２に乗ったままで分離型踏み板２３を外して設定でき、また分離型踏み板２３を係止部によって両側枠１，１に水平移動不能に保持されるので、その高位のステージ部上でも作業者が乗っても外れたり位置ずれを生じる懸念がない。また、この作業台は、左右の両側枠１，１に対してステージ板２が両側縁２０，２０で上下回動自在に枢着されているから、不使用時にはロック機構を解除して両側枠１，１とステージ板２とを重ね合わせることにより、コンパクトな折畳み形態とできる。
また、本願発明によれば、分離型踏み板２３をステージ板本体２ａに繋ぎ止める繋ぎ止め具６を備えるため、該分離型踏み板２３を紛失したり運搬の際に取り残したりする懸念がない。
【０００７】
請求項２の発明では、上記請求項１の折畳み式作業台において、前記係止部が、前記水平受け部１０ａと分離型踏み板２３の側縁部２３ａとの一方に突設された係止ピン４と、他方に穿設されて該係止ピン４に係合する係止孔５とで構成されるから、該係止部が極めて簡素な構造で確実な係合状態を確保でき、高位のステージ部の安定性がより良好となると共に、該係止部を容易に且つ安価に形成できることになる。
【０００８】
請求項３の発明では、上記請求項１又は２の折畳み式作業台において、分離型踏み板２３をステージ板本体２ａ上で左右方向移動不能に保持する係合部１４を有する構成を採用しているから、分離型踏み板２３を固定踏み板２１，２２と共に低位のステージ部として用いる場合でも、該分離型踏み板２３が左右方向に滑り動いたりステージ板本体２ａから外れたりすることがない。
【００１０】
請求項４の発明では、上記請求項１〜３の折畳み式作業台において、両側枠１，１のそれぞれ前後両側に枢支部材７，７が内向きに突設され、これら枢支部材７…を介して各側枠１とステージ板２の各側縁２０とが各側枠１のフレーム１０よりも内側で枢着されると共に、分離型踏み板２３の左右の側縁部２３ａ，２３ａがステージ板本体２ａの左右側端よりも外側へ張出した構成であるから、折畳み形態で両側枠１，１間にステージ板２の配置間隔を確保でき、もって両側枠１，１とステージ板２とが互いに平行に重ね合わさった折畳み形態になり、且つステージ板本体２ａの左右幅が両側枠１，１の左右幅よりも小さいにも関わらず、分離型踏み板２３を両側枠１，１の頂部間にかけわたすことができる。
【００１１】
【発明の実施の形態】
以下に、本発明の一実施例に係る折畳み式作業台について、図面を参照しながら説明する。この折畳み式作業台は、図１〜図６に示す使用形態と図７に示す折畳み形態とに転換できるものであり、左右の側枠１，１と、これら両側枠１，１間に中間よりもやや上位に架設されたステージ板２と、該ステージ板２の前縁に枢着された固定用枠３０と、両側枠１，１の下部間を連結する補強杆８とから構成されている。なお、両側枠１，１、ステージ板２、固定用枠３０、補強杆８はいずれもアルミ製である。
【００１２】
両側枠１，１はそれぞれ、角パイプの曲げ加工によって水平受け部１０ａ及び前後の垂直脚杆部１０ｂ，１０ｃよりなる下向き開放コ字形に形成された主フレーム１０と、その両垂直脚杆部１０ｂ，１０ｃの下部に作業台内側へ突設された取付け部材９，９を介して、当該脚杆部１０ｂ，１０ｃ間に架設された角パイプ製の補強フレーム１１とからなる略矩形枠状をなす。そして、主フレーム１０は、水平受け部１０ａに係止ピン４が上向きに突設されると共に、両垂直脚杆部１０ｂ，１０ｃに軸受としての枢支部材７が作業台内側へ突設され、且つ前部の垂直脚杆部１０ｂにおけるステージ板２との枢着部よりも下方位置にロック装置３１が設けてある。また補強杆８は、その両端が補強フレーム１１，１１の前端部に上下回動自在に枢着連結されている。なお、ステージ板２と補強杆８とは同じ左右幅を有するが、この左右幅よりも両者２，８の上下方向の間隔が大きくなるように設定してある。
【００１３】
ステージ板２は、各側枠１の枢支部材７，７に両端を上下回動自在に枢着連結した左右一対の丸パイプ製側杆部２０，２０と、両側杆部２０，２０に両端を固着した前後の帯板状の固定踏み板２１，２２と、両固定踏み板２１，２２間に位置して両端部を側杆部２０，２０上に載置した分離型踏み板２３と、両側杆部２０，２０の前端部に両端を固着した固定用枠取付け杆２４とからなり、分離型踏み板２３以外は一体のステージ板本体２ａを構成している。そして、固定用枠取付け杆２４は両端部が断面四角で中央部が断面円形のパイプよりなり、その中央部に枢着した側面視Ｌ字形のブラケット１２を介して、角パイプよりなるコ字形の固定用枠３０がその中央部においてステージ板２に上下回動自在に保持されている。また各側杆部２０には下端に係止爪１３ａを有する板ばね材よりなる弾性係止片１３が垂設されており、両弾性係止片１３，１３によって、固定用枠３０は図５の仮想線及び図８に示すようにステージ板２の下面側に重合した状態で係止されるようになっている。
【００１４】
ステージ板２の分離型踏み板２３は、左右両側縁２３ａ，２３ａが両側杆部２０，２０を越えて外側へ張出する長さ（左右幅）に設定され、各側縁部２３ａの中央に側枠１の係止ピン４と嵌合し得る係止孔５が穿設されると共に、下面左右両側には、各側縁部２３ａよりも内側で斜め下向きに突出した条片部２３ｂとこれよりも更に内側の垂直側壁２３ｃとの間で、側杆部２０に上から係嵌する係合部１４を構成している。また該分離型踏み板２３は下面側で繋ぎ止め具６を介してステージ板本体２ａに繋ぎ止められている。この繋ぎ止め具６は、太い針金を中央部で２段に曲げて折り返し状として且つ両端を外側へＬ字状に曲げたものからなり、分離型踏み板２３の下面右寄り位置に固着した縦断面略Ｕ字形の保持部材２５の左右方向の長孔２５ａ，２５ａに、折り返し状の一端側６ａを挿通すると共に、前後の固定踏み板２１，２２の下面に固着した軸支部材２６，２６に、Ｌ字状に曲げた一対の他端側６ｂ，６ｂを挿嵌することにより、該分離型踏み板２３をステージ板本体２ａに繋ぎ止めている。
【００１５】
各側枠１のロック装置３１は、図９及び図１０に詳細に示すように、前部垂直脚杆部１０ｂの内向き面（作業台の左右方向中央に臨む面）側に上下でリベット止めした角筒状のケース１６内に、棒軸状のロックピン１７が上部及び中間部のガイド壁１６ａ，１６ｂに上下部を挿通させて上下移動及び周方向回転自在に垂直配置され、このロックピン１７に側方突出状に固着されたレバー１９と上部ガイド壁１６ａとの間にコイルスプリング１８が装填されると共に、該ケース１６の中間高さに内向き面から前側面にわたって形成されたレバー用開口部３２から前記レバー１９が外方へ突出され、またケース１６の下部に内向き面から後側面にわたるロック用開口部３３が形成されてなる。
【００１６】
前記レバー用開口部３２は、その下縁の段部３４により、内向き面側の後方半部が上下幅の小さい待機部３２ａ、これより前方側が上下幅の大きい上下操作部３２ｂとなっている。しかして、レバー１９は、待機部９ａにおいて内向きに突出すると共に、上下操作部９ｂにおいて前方へ突出するが、その内向き突出状態ではロックピン１７がコイルスプリング１８の付勢に抗して上昇した非ロック位置に保持される一方、前方突出状態では該ロックピン１７がコイルスプリング１８の付勢を受けて下降したロック位置に来ると共に、このロック位置において下降したロックピン１７の下端部がロック用開口部３３の内側に突出して、且つ該開口部３３よりやや低位の下部ガイド壁１６ｃの透孔３５に突入するように設定されている。また、レバー１９の内向き突出状態では、当該レバー１９が回動する固定用枠３０の各側片３０ａと干渉するように位置設定されている。
【００１７】
固定用枠３０の両側片３０ａ，３０ａにはそれぞれ、互いに対向する側とは反対の外向き面に略コ字形の係止具３６が固着され、該係止具３６の外向き突出した係合凸部３６ａに上下方向に透通する嵌入孔３７が形成されている。この係合凸部３６ａは、該固定用枠３０が垂下姿勢にあるとき、側枠１のロック用開口部３３に嵌合すると共に、該嵌合状態においてロックピン１７が嵌入孔３７に挿嵌し得るように設定されている。なお、ロック用開口部３３の前縁部３３ａは、係合凸部３５ａとの当接によって該固定用枠３０の垂下姿勢よりも前方への回動を阻止するストッパーとして機能する。しかして、前記のロック装置３１と固定用枠３０とでロック機構３を構成している。
【００１８】
一方、ステージ板２の後部の固定踏み板２２の後側縁には、図７に示すように折畳み形態において左右両側枠１，１を一体に係止固定するための折畳み固定具４０が設けてある。この折畳み固定具４０は、図４に示すように、ボルト状の基部４１の先端に、一対のコ字形の係止部４２ａ，４２ａを有する押さえ金具４２が中央部でナット４３を介してねじ止め一体化されたものであり、固定踏み板２２の中空縁枠部２２ａとその外側に固着した箱状の受け金具２７とに基部４１を遊嵌状態に貫通して、該基部４１の末端のボルト頭部４１ａと中空縁枠部２２ａとの間にコイルスプリング４４を介在させることにより、そのばね力によって引き込み方向に付勢された状態で固定踏み板２２に保持されている。
【００１９】
上記構成の折畳み式作業台は、図７に示す折畳み形態において、ステージ板２の両側に、両側枠１，１が両水平受け部１０ａ，１０ａを同じ側にして重ね合わされ、この状態で折畳み固定具４０の係止部４２ａ，４２ａが両側枠１，１の後部の垂直脚杆部１０ｃ，１０ｃに外嵌合している。なお、固定用枠３０はステージ板２の下面側に重合した状態で弾性係止片１３，１３を介して係止されている。
【００２０】
この場合、ステージ板２の両側縁が両側枠１，１に内向きに突設された枢支部材７…を介して各側枠１のフレーム１０よりも内側で枢着されているから、両側枠１，１間にステージ板２の配置間隔が確保され、もってステージ板２が斜めにならずに両側枠１，１と平行に重ね合わさり、すっきりした良好な外観を呈する。なお、両側枠１，１の前端下部に連結した補強杆８は、フレーム１０よりも内側で枢着され、且つその左右幅よりも使用形態におけるステージ板２との上下間隔が大きいため、折畳み形態ではステージ板２と重ならずに直線的に配置している。しかして、折畳み固定具４０によって両側枠１，１とステージ板２とは開離不能に固定されているから、これらが運搬や保管中に不用意に拡開する懸念はないと共に、分離型踏み板２３は一方の側枠１の水平受け部１０ａにて上から押さえられた状態になるため、該分離型踏み板２３がステージ板本体２ａから外れることもない。
【００２１】
この折畳み式作業台を上記の折畳み形態から使用形態に転換するには、まず図４の仮想線に示すように、折畳み固定具４０をコイルスプリング４４の付勢に抗して外側へ引っ張り出し、係止部４２ａ，４２ｂが両側枠１，１の垂直脚杆部１０ｃ，１０ｃから外れた状態で９０度旋回させ、もって両側枠１，１とステージ板２とを拡開可能とする。次に、両側枠１，１とステージ板２を拡開して、図８に示すように、両側枠１，１が垂直になる状態で所要位置に置くと共に、左右のレバー１９，１９を内向き突出状態にセットした後、ステージ板２の下面に重合している固定用枠３０を手前へ引いて限界まで前方回動させればよい。
【００２２】
すなわち、図９及び図１０に示すように、レバー１９が内向き突出状態にあるときには、ロックピン１７はコイルスプリング１８の付勢に抗して上昇した非ロック位置に保持され、ロック用開口部３３から退避している。しかるに、固定用枠３０を手前へ引いて限界位置まで回動させると、これが垂下姿勢になる直前に内向き突出しているレバー１９に当たるため、該レバー１９が９０度旋回して前方突出状態になると同時に段部３４から外れて上下操作部３２ｂに移行するため、コイルスプリング１８の蓄力によりロックピン１７がレバー１９と一体に下降し、下端がロック用開口部３３の内側へ突出するが、この時には固定用枠３０の係合凸部３７ａがロック用開口部３３に嵌入して前縁部３３ａに当接しているため、その嵌入孔３７にロックピン１７の下端が挿嵌し、もって固定用枠３０と両側枠１，１が連結固定され、図２の使用形態で作業台全体が強固に一体化することになる。
【００２３】
しかして、この図２の使用形態では、ステージ板２の分離型踏み板２３は、左右の係合部１４，１４がステージ板２の側杆部２０に係嵌していることにより、ステージ板本体２ａ上で左右方向移動不能に保持され、且つ両側の固定踏み板２１，２２に挟まれて前後方向にも移動不能になっている。従って、この分離型踏み板２３上に作業者が乗っても、該分離型踏み板２３が左右方向に滑り動いたり、がた付いたり、ステージ板本体２ａから外れたりすることがなく、作業者の足元が安定し、所要の高所作業を安全に行うことができる。
【００２４】
一方、作業部位がステージ板２上に乗った作業者の手に届きにくい高さ、あるいは作業し難い高さである場合は、分離型踏み板２３をステージ板本体２ａから外して両側枠１，１の頂部間にわたすことにより、図１に示すようにステージ板本体２ａよりも高位のステージ部を設定して支承なく作業できると共に、高低２段のステージ部を作業部位の高さ変化に応じて使い分けて作業能率を高めることができる。
【００２５】
このとき、分離型踏み板２３は係止ピン４と係止孔５との嵌合により、両側枠１，１に水平移動不能に保持されるので、その上に作業者が乗っても外れたり位置ずれを生じる懸念はなく、高位のステージ部上でも低位のステージ部同様に足元が安定するから、安全に作業を行える。また、分離型踏み板２３のステージ板本体２ａに対する着脱操作ならびに両側枠１，１の頂部に対する着脱操作は、作業者が固定踏み板２１又は２２に乗ったままで行えるため、例えば作業中に作業部位の高さが変わる場合等で高位のステージ部を設定又は解消する必要があるとき、その都度に作業台から降りて操作する必要がなく、乗り降りの労力を省けると共に能率低下を回避できる。
【００２６】
しかして、使用形態から折畳み形態へ転換するには、左右の係止具３６，３６における前方突出状態の左右のレバー１９，１９を同時に上方へ持ち上げて両ロックピン１７，１７を係合凸部３６ａの嵌入孔３７から離脱させ、もって固定用枠３０と両側枠１，１との連結を解除した状態で固定用枠３０を後方へ回動させて弾性係止片１３，１３に係止させ、次いで両側枠１，１とステージ板２を重ね合わせ、折畳み固定具４０によって両側枠１，１とステージ板２とを一体に固定すればよい。なお、分離型踏み板２３は、繋ぎ止め具６にてステージ板本体２ａと繋がっているため、紛失したり運搬の際に取り残したりする懸念はない。
【００２７】
なお、この実施例の作業台では、両側枠１，１の下部間を連結する補強杆８が前端側のみに設けてあり、ステージ板２の下方空間が後方側に対して完全に開放していることから、作業位置の床面や地面に、ステージ板２の下部空間に収まり切れない長さで背の低い障害物、例えば洋式トイレ内における水タンクに一体化した洋式便器等があっても、該障害物を跨ぐように作業台を設置して支障なく高所作業を行える。また、左右両側枠１，１にロック装置３１が設けられているから、使用形態において、偶然に一方のレバー１９に物や他の作業者の身体が当たる等で、片側でロックが一時的に外れても反対側ではロック状態を維持し、作業台は使用形態で安定に保たれることになる。
【００２８】
本発明の折畳み式作業台は、上記実施例の構造に制約されるものではなく、側枠１及びステージ板２の形状や構造及び相互の枢着構造、ロック機構３のロック方式とロック位置、折畳み固定具４０の形状及び取付け位置等、細部構成については実施例以外に種々設計変更可能である。例えば、実施例では固定踏み板２１，２２の間に分離型踏み板２３が配置しているが、踏み板部の前後の一方側を固定踏み板として他方側を分離型踏み板とする２分割構成としてもよい。また該分離型踏み板２３を側枠１の水平受け部１０ａ上で水平移動不能に保持する係止部は、例示とは逆に係止ピン４を分離型踏み板２３側に設けたり、係止ピン４と係止孔５の組合せ以外の凹凸係合構造としたり、水平受け部１０ａに分離型踏み板２３の側縁部２３ａに対応する凹陥部を設けたりして構成することが可能である。同様に分離型踏み板２３をステージ板本体２ａ上で左右方向移動不能に保持する係合部としても、ピン係合や他の凹凸係合構造等、種々構成可能である。また繋ぎ止め具６にはチェーンやワイヤー等の索体も利用できる。
【００２９】
【発明の効果】
請求項１の発明によれば、折畳み式作業台として、不使用時の持ち運びや搬送、保管に際して嵩張らないコンパクトな折畳み形態にできると共に、通常の使用形態ではステージ板のステージ部を広くとれ、しかも作業部位がステージ板上に乗った作業者の手に届きにくい高さ、あるいは作業し難い高さである場合は、ステージ板の一部を構成する分離型踏み板にてステージ板本体よりも高位のステージ部を設定して支承なく作業できると共に、高低２段のステージ部を作業部位の高さ変化に応じて使い分けて作業能率を高めることができ、また高位のステージ部とした分離型踏み板が両側枠に水平移動不能に保持されるので、その上に作業者が乗っても外れたり位置ずれを生じる懸念はなく、作業者の足元が安定して安全に作業を行える上、分離型踏み板のステージ板本体ならびに両側枠の頂部に対する着脱操作を作業者が低位のステージの固定踏み板に乗ったままで行え、その操作の都度に作業台から降りる必要がないから、乗り降りの労力を省けると共に能率低下を回避でき、且つ構造的に簡素なものが提供される。
また、本願発明によれば、分離型踏み板が繋ぎ止め具を介してステージ板本体に繋ぎ止められているため、該分離型踏み板を紛失したり運搬の際に取り残したりする懸念のないものが提供される。
【００３０】
請求項２の発明によれば、上記の折畳み式作業台として、分離型踏み板を側枠の水平受け部上で水平移動不能に保持させる係止部が極めて簡素な構造である上、確実な係合状態を確保でき、高位のステージ部の安定性がより良好となると共に、該係止部を容易に且つ安価に形成できるものが提供される。
【００３１】
請求項３の発明によれば、上記の折畳み式作業台として、分離型踏み板が固定踏み板と共に低位のステージ部を構成する場合でも、該分離型踏み板が左右方向に滑り動いたりステージ板本体から外れたりすることがなく、作業者の足元が安定し、所要の高所作業を安全に行えるものが提供される。
【００３３】
請求項４の発明によれば、上記の折畳み式作業台として、両側枠のそれぞれ前後両側に内向きに突設された枢支部材を介して、各側枠とステージ板の各側縁とが各側枠のフレームよりも内側で枢着されているから、折畳み形態において両側枠とステージ板とが互いに平行に重ね合わさり、すっきりした良好な外観を呈すると共に、ステージ板本体の左右幅が両側枠の左右幅よりも小さいにも関わらず、分離型踏み板を両側枠の頂部間に支障なくかけわたせるものが提供される。
【図面の簡単な説明】
【図１】  本発明の一実施例に係る折畳み式作業台の踏み板部を高低２ステージとした使用形態の斜視図。
【図２】  同作業台の踏み板部を１ステージとした使用形態の斜視図。
【図３】  同作業台の踏み板部を１ステージとした使用形態の正面図。
【図４】  図３のＡ−Ａ線の断面矢視図。
【図５】  図３のＢ−Ｂ線の断面矢視図。
【図６】  図５のＣ−Ｃ線の断面矢視図。
【図７】  同作業台の折畳み形態における斜視図。
【図８】  同作業台における両側枠と固定用枠との連結前の斜視図。
【図９】  同作業台における両側枠と固定用枠との連結動作を示す要部の拡大斜視図。
【図１０】  同作業台における側枠の係止部近傍の縦断側面図。
【符号の説明】
１      側枠
２      ステージ板
２ａ    ステージ板本体
３      ロック機構
４      係止ピン（係止部）
５      係止孔（係止部）
６      繋ぎ止め具
７      枢支部材
１０    主フレーム（フレーム）
１０ａ  水平受け部
１４    係合部
２０    側杆部
２１    固定踏み板
２２    固定踏み板
２３    分離型踏み板
２３ａ  側縁部
３０    固定用枠（ロック機構）
３１    ロック装置（ロック機構）
【図１】
0003753469.tif 000002
【図２】
0003753469.tif 000003
【図３】
0003753469.tif 000004
【図４】
0003753469.tif 000005
【図５】
0003753469.tif 000006
【図６】
0003753469.tif 000007
【図７】
0003753469.tif 000008
【図８】
0003753469.tif 000009
【図９】
0003753469.tif 000010
【図１０】
0003753469.tif 000011